【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
撮像装置と通信するための通信手段を有し、前記撮像装置での撮像により得られた映像データの一部を示すセグメントを順次取得することにより、前記映像データを再生する情報処理装置であって、
前記撮像装置により撮像中の映像データのセグメントの情報を記述したセグメントリストを、前記通信手段を介して前記撮像装置に要求するリスト要求手段と、
前記リスト要求手段により要求した前記セグメントリストを取得するリスト取得手段と、
前記リスト取得手段により取得された前記セグメントリスト内のセグメントのうち、どのセグメントを要求するかを決定する決定手段と、
前記決定手段により決定されたセグメントを前記通信手段を介して前記撮像装置に要求するセグメント要求手段と、
前記セグメント要求手段により要求した前記セグメントを取得するセグメント取得手段と、
前記セグメントリスト内のセグメント数に基づき、セグメント送信の遅延時間を算出する算出手段と、を有することを特徴とする情報処理装置。
【請求項２】
前記算出手段により算出された遅延時間を通知する通知手段をさらに有することを特徴とする請求項１に記載の情報処理装置。
【請求項３】
前記セグメント取得手段により取得したセグメントに基づく映像を表示手段に表示するよう制御する表示制御手段をさらに有することを特徴とする請求項１に記載の情報処理装置。
【請求項４】
前記表示制御手段は、前記表示手段に前記算出手段により算出された遅延時間を、前記セグメント取得手段により取得されたセグメントに基づく映像データとともに前記表示手段に表示する。ことを特徴とする請求項３に記載の情報処理装置。
【請求項５】
前記セグメントリストは、セグメントあたりの時間を含み、
前記算出手段は、前記セグメントリスト内のセグメント数及びセグメントあたりの時間に基づき、前記遅延時間を算出することを特徴とする請求項１に記載の情報処理装置。
【請求項６】
撮像装置と通信するための通信手段を有し、前記撮像装置での撮像により得られた映像データの一部を示すセグメントを順次取得することにより、前記映像データを再生する情報処理装置であって、
前記撮像装置により撮像中の映像データのセグメントの情報を記述したセグメントリストを、前記通信手段を介して前記撮像装置に要求するリスト要求手段と、
前記リスト要求手段により要求した前記セグメントリストを取得するリスト取得手段と、
前記リスト取得手段により取得された前記セグメントリスト内のセグメントのうち、どのセグメントを要求するかを決定する決定手段と、
前記決定手段により決定されたセグメントを前記通信手段を介して前記撮像装置に要求するセグメント要求手段と、
前記セグメント要求手段により要求した前記セグメントを取得するセグメント取得手段と、
前記セグメントリスト内のセグメント数に基づき、セグメント送信の遅延度を判断する判断手段と、
前記判断手段により判断された遅延度を通知する通知手段と、を有することを特徴とする情報処理装置。
【請求項７】
前記セグメント取得手段により取得したセグメントに基づく映像を表示手段に表示するよう制御する表示制御手段をさらに有することを特徴とする請求項６に記載の情報処理装置。
【請求項８】
前記表示制御手段は、前記判断手段により判断された遅延度を、前記セグメント取得手段により取得されたセグメントに基づく映像データとともに前記表示手段に表示することを特徴とする請求項７に記載の情報処理装置。
【請求項９】
前記表示制御手段は、ユーザ操作を受け付けるための操作部を、前記セグメント取得手段により取得したセグメントに基づく映像データとともに前記表示手段に表示することを特徴とする請求項７に記載の情報処理装置。
【請求項１０】
前記操作部は、前記撮像装置による映像データの記録を開始するための操作部、前記撮像装置におけるズーム倍率を設定するための操作部の少なくとも１つを含むことを特徴とする請求項９に記載の情報処理装置。
【請求項１１】
前記操作部は、前記セグメント取得手段により取得された前記セグメントに基づく映像データを前記情報処理装置の記録媒体に記録するための操作部を含むことを特徴とする請求項９に記載の情報処理装置。
【請求項１２】
前記操作部は、前記遅延度を減少させるための操作部を含むことを特徴とする請求項９に記載の情報処理装置。
【請求項１３】
前記遅延度を減少させるための操作部が操作された場合、前記撮像装置に保持されている未送信セグメントの少なくとも一部を削除する指示を送信する送信手段をさらに有することを特徴とする請求項１２に記載の情報処理装置。
【請求項１４】
撮像装置と通信するための通信手段を有し、前記撮像装置での撮像により得られた映像データの一部を示すセグメントを順次取得することにより、前記映像データを再生する情報処理装置の制御方法であって、
前記撮像装置により撮像中の映像データのセグメントの情報を記述したセグメントリストを、前記通信手段を介して前記撮像装置に要求するリスト要求ステップと、
前記リスト要求ステップにより要求した前記セグメントリストを取得するリスト取得ステップと、
前記リスト取得ステップにより取得された前記セグメントリスト内のセグメントのうち、どのセグメントを要求するかを決定する決定ステップと、
前記決定ステップにより決定されたセグメントを前記通信手段を介して前記撮像装置に要求するセグメント要求ステップと、
前記セグメント要求ステップにより要求した前記セグメントを取得するセグメント取得ステップと、
前記セグメントリスト内のセグメント数に基づき、セグメント送信の遅延時間を算出する算出ステップと、を有することを特徴とする情報処理装置の制御方法。
【請求項１５】
撮像装置と通信するための通信手段を有し、前記撮像装置での撮像により得られた映像データの一部を示すセグメントを順次取得することにより、前記映像データを再生する情報処理装置の制御方法であって、
前記撮像装置により撮像中の映像データのセグメントの情報を記述したセグメントリストを、前記通信手段を介して前記撮像装置に要求するリスト要求ステップと、
前記リスト要求ステップにより要求した前記セグメントリストを取得するリスト取得ステップと、
前記リスト取得ステップにより取得された前記セグメントリスト内のセグメントのうち、どのセグメントを要求するかを決定する決定ステップと、
前記決定ステップにより決定されたセグメントを前記通信手段を介して前記撮像装置に要求するセグメント要求ステップと、
前記セグメント要求ステップにより要求した前記セグメントを取得するセグメント取得ステップと、
前記セグメントリスト内のセグメント数に基づき、セグメント送信の遅延度を判断する判断ステップと、
前記判断ステップにより判断された遅延度を通知する通知ステップと、を有することを特徴とする情報処理装置の制御方法。
【請求項１６】
コンピュータを、請求項１ないし１３のいずれか１項に記載された情報処理装置の各手段として機能させるプログラム。
【請求項１７】
コンピュータを、請求項１ないし１３のいずれか１項に記載された情報処理装置の各手段として機能させるプログラムを記憶した記憶媒体。
【手続補正２】
【補正対象書類名】明細書
【補正対象項目名】発明の名称
【補正方法】変更
【補正の内容】
【発明の名称】情報処理装置及びその制御方法、プログラム、並びに記憶媒体
【手続補正３】
【補正対象書類名】明細書
【補正対象項目名】０００６
【補正方法】変更
【補正の内容】
【０００６】
上記課題を解決し、目的を達成するために、本発明の情報処理装置は、撮像装置と通信するための通信手段を有し、前記撮像装置での撮像により得られた映像データの一部を示すセグメントを順次取得することにより、前記映像データを再生する情報処理装置であって、前記撮像装置により撮像中の映像データのセグメントの情報を記述したセグメントリストを、前記通信手段を介して前記撮像装置に要求するリスト要求手段と、前記リスト要求手段により要求した前記セグメントリストを取得するリスト取得手段と、前記リスト取得手段により取得された前記セグメントリスト内のセグメントのうち、どのセグメントを要求するかを決定する決定手段と、前記決定手段により決定されたセグメントを前記通信手段を介して前記撮像装置に要求するセグメント要求手段と、前記セグメント要求手段により要求した前記セグメントを取得するセグメント取得手段と、前記セグメントリスト内のセグメント数に基づき、セグメント送信の遅延時間を算出する算出手段と、を有する。